(57)【要約】【課題】表示装置の発熱に伴い、撮影装置の本体部の温度が上昇する。【解決手段】撮影装置を、装置本体部と、装置本体部に取り付けられた表示装置と、装置本体部と表示装置との間に設けられた断熱部材とを備える構成とする。【選択図】図１
2018125789.tif 000002
【特許請求の範囲】
【請求項１】
装置本体部と、
前記装置本体部に取り付けられた表示装置と、
前記装置本体部と前記表示装置との間に設けられた断熱部材と、
を備える、
撮影装置。
【請求項２】
前記表示装置は、
前記装置本体部に対して向きを変更することが可能な可動式表示装置であり、
前記装置本体部との対向面に放熱部材が取り付けられており、
前記装置本体部は、
前記表示装置との対向面に前記断熱部材に取り付けられている、
請求項１に記載の撮影装置。
【請求項３】
前記表示装置を制御する制御部と、
前記表示装置の可動状態を検知する検知部であって、前記装置本体部との対向面が該装置本体部に最も近付く閉状態と、該対向面が該閉状態と比べて該装置本体部から離れた開状態とを検知する状態検知部と、
を備え、
前記制御部は、
前記検知部によって前記開状態が検知されたとき、第一の時間経過すると、前記表示装置上の画像の表示をオフし、前記閉状態が検知されたとき、該第一の時間よりも短い第二の時間経過すると、該表示装置上の画像の表示をオフする、
請求項２に記載の撮影装置。
【請求項４】
前記表示装置を制御する制御部と、
前記装置本体部内部の温度を検知する温度検知部と、
を備え、
前記制御部は、
前記温度検知部によって所定値を超える温度が検知されると、前記表示装置上の画像の表示をオフする、
請求項２に記載の撮影装置。
【請求項５】
前記表示装置を制御する制御部と、
前記装置本体部内部の温度を検知する温度検知部と、
を備え、
前記制御部は、
前記温度検知部によって所定値を超える温度が検知されると、前記表示装置上の画像を通常よりも低い輝度で表示させる、
請求項２に記載の撮影装置。
【請求項６】
画像を表示する表示装置と、
電源部と、
前記電源部への電源供給状態を検知する検知部と、
検知された電源供給状態に応じて前記表示装置に表示される画像の輝度を調整する制御部と、
を備える、
撮影装置。
【請求項７】
前記検知部は、
外部電源装置から前記電源部への電源供給を検知可能であり、
前記制御部は、
前記検知部において前記外部電源装置から前記電源部への電源供給が検知されないときには、前記表示装置上の画像を通常よりも低い輝度で表示させる、
請求項６に記載の撮影装置。
【請求項８】
前記検知部は、
前記電源部に供給されている電源電圧を検知可能であり、
前記制御部は、
前記検知部によって所定値を下回る電源電圧が検知されると、前記表示装置上の画像を通常よりも低い輝度で表示させる、
請求項６に記載の撮影装置。
【請求項９】
画像を表示する表示装置と、
第一の輝度で画像を表示する第一輝度モードと、該第一の輝度よりも低い輝度で画像を表示する第二輝度モードで前記表示装置を制御可能であり、モードに応じて前記表示装置上の画像の継続表示時間を設定変更する制御部と、
を備える、
撮影装置。
【請求項１０】
前記制御部は、
前記第一輝度モード時には、第一の時間経過すると、前記表示装置上の画像の表示をオフし、前記第二輝度モード時には、該第一の時間よりも長い第二の時間経過すると、該表示装置上の画像の表示をオフする、
請求項９に記載の撮影装置。
【請求項１１】
電源部と、
外部電源装置から前記電源部への電源供給を検知する検知部と、
を備え、
前記制御部は、
前記第一輝度モード時に、前記検知部において前記外部電源装置から前記電源部への電源供給が検知されると、前記第一の時間を延長する、
請求項１０に記載の撮影装置。
【発明の詳細な説明】
【技術分野】
【０００１】
本発明は、撮影装置に関する。
【背景技術】
【０００２】
異なる露光条件で撮影された複数枚の同一被写体画像を合成することにより、被写体の明るい部位から暗い部位までを鮮明に表示するようにダイナミックレンジを拡張したＨＤＲ（High Dynamic Range）画像を生成する技術が知られている。一般に、デジタルカメラやビデオカメラ等の撮影装置に備えられている液晶モニタでは、ダイナミックレンジが小さいため、この種のＨＤＲ画像をそのまま表示することができない。そこで、例えば特許文献１に、ＨＤＲ画像の階調幅を液晶モニタに合わせた低階調幅に変換することにより、ＨＤＲ画像を液晶モニタに表示させる構成が記載されている。なお、例えばコントラスト５０００：１以上の画像であれば、上記技術で生成された画像でなくてもＨＤＲ画像に含まれる。
【０００３】
近年、ＨＤＲ画像の表示に対応した表示装置が知られている（非特許文献１参照）。非特許文献１に記載の表示装置は、エッジ型ＬＥＤ（Light Emitting Diode）バックライトに代えて、液晶の裏側にＬＥＤを敷き詰めた直下型ＬＥＤバックライトが採用されており、画像内の暗部においてはＬＥＤを消灯するローカルディミング（部分駆動）技術が採用されている。これにより、非特許文献１に記載の表示装置では、ＨＤＲ画像に対応した高コントラスト比が達成されている。
【先行技術文献】
【特許文献】
【０００４】
【特許文献１】特開２００２−３０５６８４号公報
【非特許文献１】「液晶ディスプレイによる高ダイナミックレンジ映像表示技術」、映像情報メディア学会誌、Vol.70、No.3、pp.425〜428（2016）
【発明の概要】
【発明が解決しようとする課題】
【０００５】
非特許文献１に記載されている表示装置を撮影装置に採用することにより、ＨＤＲ画像を低階調幅に変換することなく表示することが可能となる。しかし、直下型ＬＥＤバックライトを採用する非特許文献１に記載の表示装置では、多数のＬＥＤを点灯させる必要がある。そのため、従来と比べて表示装置の発熱が多くなることが予想される。表示装置の発熱に伴い、撮影装置の本体部（装置本体部）の温度が上昇することが懸念される。
【０００６】
本発明は上記の事情に鑑みてなされたものであり、その目的とするところは、表示装置の発熱による装置本体部の温度上昇を抑えるのに好適な撮影装置を提供することである。
【課題を解決するための手段】
【０００７】
本発明の一実施形態に係る撮影装置は、装置本体部と、装置本体部に取り付けられた表示装置と、装置本体部と表示装置との間に設けられた断熱部材とを備える。
【発明の効果】
【０００８】
本発明の一実施形態によれば、表示装置の発熱による装置本体部の温度上昇を抑えるのに好適な撮影装置が提供される。
【図面の簡単な説明】
【０００９】
【図１】本発明の一実施形態に係る撮影装置の構成を示すブロック図である。
【図２】本発明の一実施形態において実行される画像表示制御の処理フロー例Ａを示す図である。
【図３】本発明の一実施形態において実行される画像表示制御の処理フロー例Ｂを示す図である。
【図４】本発明の一実施形態において実行される画像表示制御の処理フロー例Ｃを示す図である。
【図５】本発明の一実施形態において実行される画像表示制御の処理フロー例Ｄを示す図である。
【図６】本発明の一実施形態において実行される画像表示制御の処理フロー例Ｅを示す図である。
【図７】本発明の一実施形態において実行される画像表示制御の処理フロー例Ｆを示す図である。
【発明を実施するための形態】
【００１０】
以下、本発明の一実施形態に係る撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、表示装置を有する別の形態の装置に置き換えてもよい。
【００１１】
図１は、本発明の一実施形態に係る撮影装置１の構成を示すブロック図である。図１に示されるように、撮影装置１は、カメラボディ（装置本体部）１０と、カメラボディ１０に交換可能に装着される撮影レンズ２０を備えている。
【００１２】
撮影レンズ２０は、レンズ２０２及び２０４を備えている。レンズ２０２とレンズ２０４との間には絞り２０６が配置されている。レンズ２０４の後方には、メインミラー１０２及びサブミラー１０４が配置されている。
【００１３】
撮影レンズ２０を介した被写体光束の一部は、メインミラー１０２によって上方に向けて反射されて光学ファインダ（不図示）へ導かれる。これにより、ユーザは、ファインダ窓を通じて被写体像を視認することができる。また、被写体光束の一部は、メインミラー１０２を透過し、メインミラー１０２の後方に配置されたサブミラー１０４によって下方に向けて反射されて、測距センサ１２０へ導かれる。測距センサ１２０は、例えば位相差検出方式の測距センサである。
【００１４】
カメラボディ１０は、操作スイッチ群１２８を備えている。操作スイッチ群１２８には、電源スイッチやレリーズスイッチ、操作ダイヤル、操作キーなど、ユーザが撮影装置１を操作するために必要な各種操作部が含まれる。ユーザにより電源スイッチが押されると、電源回路１３４は、カメラＣＰＵ（Central Processing Unit）１１０の指令に従ってカメラボディ１０の各部に電源を供給する。カメラＣＰＵ１１０は、ＲＯＭ（Read Only Memory）１３２にアクセスして制御プログラムを読み出す。カメラＣＰＵ１１０は、読み出した制御プログラムをワークエリアにロードし、ロードされた制御プログラムを実行することにより、撮影装置１全体の制御を行う。
【００１５】
本実施形態では、電源回路１３４への電力供給源として、カメラボディ１０の電池室に収容される本体バッテリ１３６、ＡＣアダプタ３０及び外部電源入力端子１３８を介して入力される商用電源、カメラボディ１０に対して着脱可能なバッテリグリップ４０に内蔵されている外付けバッテリがある。商用電源に接続されたＡＣアダプタ３０が外部電源入力端子１３８に接続されているときには、商用電源が電力供給源として選択される。商用電源の非接続時には、外付けバッテリが電力供給源として選択される。商用電源及び外付けバッテリの非接続時には、本体バッテリ１３６が電力供給源として選択される。
【００１６】
カメラＣＰＵ１１０は、レンズ制御回路１２２を介してレンズＣＰＵ２１０と通信する。レンズＣＰＵ２１０は、カメラＣＰＵ１１０と通信し、測光センサ１１２で測定された測光値に基づいて適正露出が得られるように、レンズ駆動機構２０８を介して絞り２０６を駆動制御する。
【００１７】
レリーズスイッチが半押し操作されると、カメラＣＰＵ１１０とレンズＣＰＵ２１０とが通信し、測距センサ１２０の検出結果に基づいてレンズ駆動機構２０８が制御され、撮影レンズ２０の光軸上におけるレンズ２０２とレンズ２０４の位置及び位置関係が制御される。これにより、撮影レンズ２０の合焦状態が調整される。
【００１８】
次いで、レリーズスイッチが全押し操作されると、カメラＣＰＵ１１０は、フォーカルプレーンシャッタ１０６を駆動制御すると共にメインミラー１０２をクイックリターンさせる。すなわち、カメラＣＰＵ１１０は、フォーカルプレーンシャッタ１０６の先幕走行開始直前から後幕走行終了直後の期間に限り、メインミラー１０２をアップすることにより、撮影レンズ２０の光軸と平行な光路からメインミラー１０２及びサブミラー１０４を退避させる。
【００１９】
撮影レンズ２０を介した被写体光束は、フォーカルプレーンシャッタ１０６が開いている期間中、撮像センサ１０８の撮像面上で結像される。カメラＣＰＵ１１０は、撮像センサ駆動回路１１４を介して撮像センサ１０８を駆動制御する。撮像センサ１０８は、例えばベイヤ配列フィルタを搭載したＣＭＯＳ（Complementary Metal Oxide Semiconductor）イメージセンサであり、撮像面上の各画素で結像した光学像を光量に応じた電荷として蓄積する。撮像センサ１０８は、蓄積された電荷をフローティングディフュージョンアンプにて電圧（以下、「画像信号」と記す。）に変換する。撮像センサ１０８より出力された画像信号は、画像処理回路１１６に入力される。なお、撮像センサ１０８は、ＣＣＤ（Charge Coupled Device）イメージセンサであってもよく、また、補色系フィルタを搭載したイメージセンサであってもよい。
【００２０】
画像処理回路１１６は、撮像センサ１０８より入力される画像信号に対して所定の信号処理を施す。具体的には、画像処理回路１１６は、画像信号に対して色補間、マトリックス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。画像処理回路１１６によって生成された撮影画像データは、画像メモリ１３０に保存される。撮影画像の保存形式は、ＪＰＥＧ形式に限らず、最小限の画像処理（例えば黒レベルの補正等）しか施されないＲＡＷ形式であってもよい。
【００２１】
ユーザによる操作スイッチ群１２８に対する操作によって再生モードが選択されると、カメラＣＰＵ１１０は、画像メモリ１３０に保存されている撮影画像データを表示器制御回路１２６に出力する。表示器制御回路１２６は、入力された撮影画像データに基づき、表示器駆動回路１４２を介して表示器１４０の液晶を変調制御すると共にバックライトを発光制御する。これにより、撮影画像が表示器１４０の表示画面に表示される。ユーザは、適正なピントで撮影された適正な輝度の撮影画像を表示器１４０の表示画面を通じて視認することができる。なお、表示器１４０の表示画面には、このようなプレビュー画像の他、例えば、撮影モードに関する情報や撮影後の確認用画像、焦点検出時の合焦状態画像等が表示される。
【００２２】
表示器１４０及び表示器駆動回路１４２は表示パネル（表示装置）５０を構成する。表示パネル５０は、非特許文献１に例示される表示装置と同様に、保護パネル、カラーフィルタ搭載の液晶パネル、光学拡散シート、直下型ＬＥＤバックライト、直下型ＬＥＤバックライト駆動回路基板を順に積層した構成を有しており、ＨＤＲ画像を低階調幅に変換することなく表示することができる。その一方で、表示パネル５０は、直下型ＬＥＤバックライトを採用した構成であることから、ＨＤＲ画像の表示時に発熱量が多い。表示パネル５０の発熱に伴ってカメラボディ１０内の温度が上昇した場合、温度上昇が原因となってカメラボディ１０の動作に不具合が発生することが懸念される。
【００２３】
そこで、本実施形態では、カメラボディ１０の背面（表示パネル５０との対向面）１０ａ側に断熱材（断熱部材）６２が取り付けられている。背面１０ａ側に断熱材６２を取り付けることにより、表示パネル５０からカメラボディ１０への熱の伝達が抑えられる。そのため、表示パネル５０の発熱に伴うカメラボディ１０内の温度上昇が抑えられ、温度上昇に伴うカメラボディ１０の不具合の発生が避けられる。
【００２４】
表示パネル５０は、カメラボディ１０に対して向きを変更することが可能な可動式表示パネルである。表示パネル５０は、裏面（カメラボディ１０との対向面）５０ａの上端にヒンジ６６が取り付けられており、カメラボディ１０に対する向きを変更できるようにカメラボディ１０の背面１０ａにヒンジ６６を介して連結支持されている。
【００２５】
表示パネル５０は、撮影装置１の未使用時には基本的に閉状態にある。閉状態は、カメラボディ１０の背面１０ａと表示パネル５０の裏面５０ａとが最も近付く状態（図１に示される状態）であり、背面１０ａと裏面５０ａとが近接し且つ平行に位置する。また、閉状態では、裏面５０ａの下端が背面１０ａに取り付けられたストッパ６８に当接する。
【００２６】
表示パネル５０は、ユーザによる把持操作により、ヒンジ６６を中心にカメラボディ１０の背面１０ａから離れる方向に回動し、開状態となる。すなわち、開状態とは、表示パネル５０の裏面５０ａが閉状態と比べてカメラボディ１０の背面１０ａから離れた状態である。開状態では、裏面５０ａの下端がストッパ６８から離れる。
【００２７】
開閉検知スイッチ１２４は、開閉状態の表示パネル５０を検知するメカスイッチである。一例として、開閉検知スイッチ１２４は、ストッパ６８に対する表示パネル５０の接触を検知することにより、閉状態を検知する。カメラＣＰＵ１１０は、開閉検知スイッチ１２４による検知結果に基づいて表示パネル５０の開閉状態を判断する。
【００２８】
表示パネル５０の裏面５０ａ側には、放熱板（放熱部材）６４が取り付けられている。裏面５０ａ側に放熱板６４を取り付けることにより、表示パネル５０の熱が効率的に放出される。そのため、表示パネル５０自体の温度上昇が抑えられ、温度上昇に伴う表示パネル５０の不具合の発生が避けられる。特に、表示パネル５０が開状態のときには、表示パネル５０の温度上昇を抑制する効果が顕著に得られる。また、表示パネル５０の温度上昇が抑えられることにより、カメラボディ１０に伝達される熱も抑えられる。
【００２９】
なお、表示パネル５０は、カメラボディ１０に対して向きを変更することができない固定式表示パネルであってもよい。この場合、放熱板６４を構成要素から省いて部品点数を削減してもよい。
【００３０】
次に、本実施形態においてカメラＣＰＵ１１０の制御下で実行される処理フローを複数例説明する。
【００３１】
《処理フロー例Ａ》
図２は、表示パネル５０における画像の表示を制御する処理フロー例Ａを示す。本処理フロー例Ａは、例えば、ユーザによる操作スイッチ群１２８に対する操作によって再生モードが選択されると、実行が開始される。
【００３２】
［図２のＳ１１（表示オン）］
本処理ステップＳ１１では、画像メモリ１３０に保存されている撮影画像が表示器１４０の表示画面に表示される。
【００３３】
［図２のＳ１２（タイマの始動）］
本処理ステップＳ１２では、カメラＣＰＵ１１０に内蔵されているタイマが始動される。
【００３４】
［図２のＳ１３（表示パネル５０の開閉状態の検知）］
本処理ステップＳ１３では、開閉検知スイッチ１２４による検知結果に基づいて表示パネル５０が開状態であるか否かが判定される。
【００３５】
［図２のＳ１４（経過時間の判定）］
本処理ステップＳ１４は、処理ステップＳ１３（表示パネル５０の開閉状態の検知）にて表示パネル５０が開状態であると判定された場合（Ｓ１３：ＹＥＳ）に実行される。本処理ステップＳ１４では、処理ステップＳ１２（タイマの始動）にてタイマが始動してから時間Ｔopenが経過したか否かが判定される。
【００３６】
［図２のＳ１５（経過時間の判定）］
本処理ステップＳ１５は、処理ステップＳ１３（表示パネル５０の開閉状態の検知）にて表示パネル５０が開状態でない（閉状態である）と判定された場合（Ｓ１３：ＮＯ）に実行される。本処理ステップＳ１５では、処理ステップＳ１２（タイマの始動）にてタイマが始動してから時間Ｔcloseが経過したか否かが判定される。
【００３７】
［図２のＳ１６（表示オフ）］
本処理ステップＳ１６は、処理ステップＳ１４（経過時間の判定）にてタイマが始動してから時間Ｔopenが経過したと判定された場合（Ｓ１４：ＹＥＳ）又は処理ステップＳ１５（経過時間の判定）にてタイマが始動してから時間Ｔcloseが経過したと判定された場合（Ｓ１５：ＹＥＳ）に実行される。本処理ステップＳ１６では、表示器１４０の表示画面上における撮影画像の表示がオフされる（バックライト全面が消灯されて画面全体が真っ暗になる）。
【００３８】
表示パネル５０が閉状態にあるとき、開状態と比べてカメラボディ１０と表示パネル５０との距離が近接する。そのため、開状態と比べて、表示パネル５０の熱がカメラボディ１０に伝達されやすい。従って、時間Ｔcloseは、時間Ｔopenよりも短く設定されている。すなわち、処理フロー例Ａでは、カメラボディ１０に熱が伝達されやすい閉状態では、撮影画像の継続表示時間（時間Ｔclose）が短く設定される。これにより、表示パネル５０の発熱が抑えられ、カメラボディ１０に伝達される熱が抑えられる。
【００３９】
《処理フロー例Ｂ》
図３は、表示パネル５０における画像の表示を制御する処理フロー例Ｂを示す。本処理フロー例Ｂは、例えば、ユーザによる操作スイッチ群１２８に対する操作によって再生モードが選択されると、実行が開始される。
【００４０】
［図３のＳ２１（表示オン）］
本処理ステップＳ２１では、画像メモリ１３０に保存されている撮影画像が表示器１４０の表示画面に表示される。
【００４１】
［図３のＳ２２（タイマの始動）］
本処理ステップＳ２２では、カメラＣＰＵ１１０に内蔵されているタイマが始動される。
【００４２】
［図３のＳ２３（経過時間の判定）］
本処理ステップＳ２３では、処理ステップＳ２２（タイマの始動）にてタイマが始動してから所定の表示制限時間が経過したか否かが判定される。
【００４３】
［図３のＳ２４（カメラボディ１０内の温度検出）］
本処理ステップＳ２４は、処理ステップＳ２３（経過時間の判定）にて所定の表示制限時間が経過していないと判定された場合（Ｓ２３：ＮＯ）に実行される。本処理ステップＳ２４では、温度センサ１１８によって検知されたカメラボディ１０内の温度が所定温度を超えるか否かが判定される。カメラボディ１０内の温度が所定温度を超えなければ（Ｓ２４：ＮＯ）、処理ステップＳ２３〜Ｓ２４がループする。
【００４４】
［図３のＳ２５（表示オフ）］
本処理ステップＳ２５は、処理ステップＳ２３（経過時間の判定）にてタイマが始動してから所定の表示制限時間が経過したと判定された場合（Ｓ２３：ＹＥＳ）又は処理ステップＳ２４（カメラボディ１０内の温度検出）にてカメラボディ１０内の温度が所定温度を超えると判定された場合（Ｓ２４：ＹＥＳ）に実行される。本処理ステップＳ２５では、表示器１４０の表示画面上における撮影画像の表示がオフされる。
【００４５】
処理フロー例Ｂでは、所定の表示制限時間が経過した時点で撮影画像の表示がオフされる。これにより、表示パネル５０の発熱が抑えられ、カメラボディ１０に伝達される熱が抑えられる。また、処理フロー例Ｂでは、カメラボディ１０内の温度が所定温度を超えた時点で撮影画像の表示がオフされる。これにより、カメラボディ１０内の温度を上昇させる主要因の１つである表示パネル５０の発熱が抑えられる。そのため、カメラボディ１０内の温度上昇が抑えられ、温度上昇に伴うカメラボディ１０の不具合の発生が避けられる。
【００４６】
《処理フロー例Ｃ》
図４は、表示パネル５０における画像の表示を制御する処理フロー例Ｃを示す。本処理フロー例Ｃは、例えば、ユーザによる操作スイッチ群１２８に対する操作によって再生モードが選択されると、実行が開始される。
【００４７】
［図４のＳ３１（表示オン）］
本処理ステップＳ３１では、画像メモリ１３０に保存されている撮影画像が表示器１４０の表示画面に表示される。
【００４８】
［図４のＳ３２（タイマの始動）］
本処理ステップＳ３２では、カメラＣＰＵ１１０に内蔵されているタイマが始動される。
【００４９】
［図４のＳ３３（経過時間の判定）］
本処理ステップＳ３３では、処理ステップＳ３２（タイマの始動）にてタイマが始動してから所定の表示制限時間が経過したか否かが判定される。
【００５０】
［図４のＳ３４（カメラボディ１０内の温度検出）］
本処理ステップＳ３４は、処理ステップＳ３３（経過時間の判定）にて所定の表示制限時間が経過していないと判定された場合（Ｓ３３：ＮＯ）に実行される。本処理ステップＳ３４では、温度センサ１１８によって検知されたカメラボディ１０内の温度が所定温度を超えるか否かが判定される。
【００５１】
［図４のＳ３５（高輝度表示）］
本処理ステップＳ３５は、処理ステップＳ３４（カメラボディ１０内の温度検出）にてカメラボディ１０内の温度が所定温度以下であると判定された場合（Ｓ３４：ＮＯ）に実行される。本処理ステップＳ３５では、表示器１４０の表示画面上において撮影画像が通常輝度（高輝度）で表示される。
【００５２】
［図４のＳ３６（低輝度表示）］
本処理ステップＳ３６は、処理ステップＳ３４（カメラボディ１０内の温度検出）にてカメラボディ１０内の温度が所定温度を超えると判定された場合（Ｓ３４：ＹＥＳ）に実行される。本処理ステップＳ３６では、表示器１４０の表示画面上において撮影画像が通常輝度よりも低い低輝度で表示される。例示的には、バックライトに供給される電流値を下げることにより、撮影画像が低輝度で表示される。低輝度表示に切り替えることにより、消費電力が低減されて表示パネル５０の発熱が抑えられる。そのため、カメラボディ１０内の温度上昇が抑えられ、温度上昇に伴うカメラボディ１０の不具合の発生が避けられる。
【００５３】
［図４のＳ３７（表示オフ）］
本処理ステップＳ３７は、処理ステップＳ３３（経過時間の判定）にてタイマが始動してから所定の表示制限時間が経過したと判定された場合（Ｓ３３：ＹＥＳ）に実行される。本処理ステップＳ３７では、表示器１４０の表示画面上における撮影画像の表示がオフされる。これにより、表示パネル５０の発熱が抑えられ、カメラボディ１０に伝達される熱が抑えられる。
【００５４】
《処理フロー例Ｄ》
図５は、表示パネル５０における画像の表示を制御する処理フロー例Ｄを示す。本処理フロー例Ｄは、例えば、ユーザによる操作スイッチ群１２８に対する操作によって再生モードが選択されると、実行が開始される。
【００５５】
［図５のＳ４１（表示オン）］
本処理ステップＳ４１では、画像メモリ１３０に保存されている撮影画像が表示器１４０の表示画面に表示される。
【００５６】
［図５のＳ４２（タイマの始動）］
本処理ステップＳ４２では、カメラＣＰＵ１１０に内蔵されているタイマが始動される。
【００５７】
［図５のＳ４３（外部電源の判定）］
本処理ステップＳ４３では、外部電源がカメラボディ１０に接続されているか否かが判定される。本実施形態では、商用電源及びバッテリグリップ４０に内蔵されている外付けバッテリが外部電源に相当する。
【００５８】
［図５のＳ４４（高輝度表示）］
本処理ステップＳ４４は、処理ステップＳ４３（外部電源の判定）にて外部電源がカメラボディ１０に接続されていると判定された場合（Ｓ４３：ＹＥＳ）に実行される。本処理ステップＳ４４では、表示器１４０の表示画面上において撮影画像が通常輝度（高輝度）で表示される。このとき、表示画面には「外部電源供給有り」を示すアイコンが表示されてもよい。
【００５９】
［図５のＳ４５（低輝度表示）］
本処理ステップＳ４５は、処理ステップＳ４３（外部電源の判定）にて外部電源がカメラボディ１０に接続されていない（言い換えると、本体バッテリ１３６のみ接続されている）と判定された場合（Ｓ４３：ＮＯ）に実行される。本処理ステップＳ４５では、表示器１４０の表示画面上において撮影画像が通常輝度よりも低い低輝度で表示される。このとき、表示画面には「外部電源供給無し」を示すアイコンが表示されてもよい。
【００６０】
通常輝度表示（高輝度表示）では、直下型ＬＥＤバックライトをローカルディミング制御し、ＨＤＲ画像を低階調幅に変換することなく表示することができる。そのため、通常輝度表示では、表示パネル５０の消費電力が多い。従って、外部電源がカメラボディ１０に接続されていないときには、消費電力が少ない低輝度表示で表示パネル５０が制御される。これにより、容量の限られた本体バッテリ１３６の電力消費が抑えられる。そのため、例えば、本体バッテリ１３６使用時における撮影装置１の動作時間が延びたり、急なバッテリ切れが避けられたりする。
【００６１】
［図５のＳ４６（経過時間の判定）］
本処理ステップＳ４６は、処理ステップＳ４４（高輝度表示）後又は処理ステップＳ４５（低輝度表示）後に実行される。本処理ステップＳ４６では、処理ステップＳ４２（タイマの始動）にてタイマが始動してから所定の表示制限時間が経過したか否かが判定される。
【００６２】
［図５のＳ４７（表示オフ）］
本処理ステップＳ４７は、処理ステップＳ４６（経過時間の判定）にてタイマが始動してから所定の表示制限時間が経過したと判定された場合（Ｓ４６：ＹＥＳ）に実行される。本処理ステップＳ４７では、表示器１４０の表示画面上における撮影画像の表示がオフされる。これにより、表示パネル５０の発熱が抑えられ、カメラボディ１０に伝達される熱が抑えられる。
【００６３】
《処理フロー例Ｅ》
図６は、表示パネル５０における画像の表示を制御する処理フロー例Ｅを示す。本処理フロー例Ｅは、例えば、ユーザによる操作スイッチ群１２８に対する操作によって再生モードが選択されると、実行が開始される。
【００６４】
［図６のＳ５１（表示オン）］
本処理ステップＳ５１では、画像メモリ１３０に保存されている撮影画像が表示器１４０の表示画面に表示される。
【００６５】
［図６のＳ５２（タイマの始動）］
本処理ステップＳ５２では、カメラＣＰＵ１１０に内蔵されているタイマが始動される。
【００６６】
［図６のＳ５３（電源電圧の判定）］
本処理ステップＳ５３では、電源回路１３４に所定値以上の電源電圧が供給されているか否かが判定される。
【００６７】
［図６のＳ５４（高輝度表示）］
本処理ステップＳ５４は、処理ステップ５３（電源電圧の判定）にて所定値以上の電源電圧が供給されていると判定された場合（Ｓ５３：ＹＥＳ）に実行される。本処理ステップＳ５４では、表示器１４０の表示画面上において撮影画像が通常輝度（高輝度）で表示される。
【００６８】
［図６のＳ５５（低輝度表示）］
本処理ステップＳ５５は、処理ステップ５３（電源電圧の判定）にて所定値を下回る電源電圧が供給されていると判定された場合（Ｓ５３：ＮＯ）に実行される。本処理ステップＳ５５では、表示器１４０の表示画面上において撮影画像が通常輝度よりも低い低輝度で表示される。電源電圧の低下時に消費電力が少ない低輝度表示で表示パネル５０を制御し、バッテリ（本体バッテリ１３６又はバッテリグリップ４０に内蔵されている外付けバッテリ）の電力消費を抑えることにより、例えば、撮影装置１の動作時間が延びたり、急なバッテリ切れが避けられたりする。
【００６９】
ＡＣアダプタ３０の電源供給能力が低く、電源回路１３４に所定値を下回る電源電圧しか供給できない場合を考える。この場合も電力供給源がバッテリの場合と同様に、本処理ステップＳ５５の実行により、表示器１４０の表示画面上において撮影画像を通常輝度よりも低い低輝度で表示してもよい。
【００７０】
［図６のＳ５６（経過時間の判定）］
本処理ステップＳ５６は、処理ステップＳ５４（高輝度表示）又は処理ステップＳ５５（低輝度表示）後に実行される。本処理ステップＳ５６では、処理ステップＳ５２（タイマの始動）にてタイマが始動してから所定の表示制限時間が経過したか否かが判定される。
【００７１】
［図６のＳ５７（表示オフ）］
本処理ステップＳ５７は、処理ステップＳ５６（経過時間の判定）にてタイマが始動してから所定の表示制限時間が経過したと判定された場合（Ｓ５６：ＹＥＳ）に実行される。本処理ステップＳ５７では、表示器１４０の表示画面上における撮影画像の表示がオフされる。これにより、表示パネル５０の発熱が抑えられ、カメラボディ１０に伝達される熱が抑えられる。
【００７２】
《処理フロー例Ｆ》
図７は、表示パネル５０における画像の表示を制御する処理フロー例Ｆを示す。本処理フロー例Ｆは、例えば、ユーザによる操作スイッチ群１２８に対する操作により、再生モードとして高ダイナミックレンジモード（以下、「ＨＤＲモード」と記す。）又は低ダイナミックレンジモード（以下、「ＬＤＲモード」と記す。）が選択され、当該モードが設定されると、実行が開始される。
【００７３】
ＨＤＲモードでは、直下型ＬＥＤバックライトがローカルディミング制御されて、ＨＤＲ画像が低階調幅に変換されることなく表示される。そのため、ＨＤＲモード時には表示パネル５０の消費電力が多い。ＬＤＲモードでは、例示的には、ＨＤＲ画像が低階調幅に変換されて表示されたり、バックライトに供給される電流値がＨＤＲモード時と比べて下げられて、撮影画像が低輝度で表示されたりする。そのため、ＬＤＲモード時は、ＨＤＲモード時と比べて表示パネル５０の消費電力が少ない。
【００７４】
［図７のＳ６１（表示オン）］
本処理ステップＳ６１では、画像メモリ１３０に保存されている撮影画像が表示器１４０の表示画面に表示される。
【００７５】
［図７のＳ６２（タイマの始動）］
本処理ステップＳ６２では、カメラＣＰＵ１１０に内蔵されているタイマが始動される。
【００７６】
［図７のＳ６３（設定モードの判定）］
本処理ステップＳ６３では、ＨＤＲモードに設定されているか否かが判定される。
【００７７】
［図７のＳ６４（経過時間の判定）］
本処理ステップＳ６４は、処理ステップＳ６３（設定モードの判定）にてＨＤＲモードに設定されていない（すなわち、ＬＤＲモードに設定されている）と判定された場合（Ｓ６３：ＮＯ）に実行される。本処理ステップＳ６４では、処理ステップＳ６２（タイマの始動）にてタイマが始動してから時間ＴLDRが経過したか否かが判定される。
【００７８】
［図７のＳ６５（外部電源の判定）］
本処理ステップＳ６５は、処理ステップＳ６３（設定モードの判定）にてＨＤＲモードに設定されていると判定された場合（Ｓ６３：ＹＥＳ）に実行される。本処理ステップＳ６５では、外部電源がカメラボディ１０に接続されているか否かが判定される。
【００７９】
［図７のＳ６６（継続表示時間の延長）］
本処理ステップＳ６６は、処理ステップＳ６５（外部電源の判定）にて外部電源がカメラボディ１０に接続されていると判定された場合（Ｓ６５：ＹＥＳ）に実行される。本処理ステップＳ６６では、ＨＤＲモード時の画像の表示継続時間（時間ＴHDR）に係数α（α＞１）が乗算されて、時間ＴHDRが初期値よりも長い時間に設定される。以下、説明の便宜上、延長後の時間ＴHDRを「時間ＴHDR’」と記す。
【００８０】
［図７のＳ６７（経過時間の判定）］
本処理ステップＳ６７は、処理ステップＳ６５（外部電源の判定）にて外部電源がカメラボディ１０に接続されていないと判定された場合（Ｓ６５：ＮＯ）又は処理ステップＳ６６（継続表示時間の延長設定）後に実行される。本処理ステップＳ６７では、処理ステップＳ６２（タイマの始動）にてタイマが始動してから時間ＴHDR（又は時間ＴHDR’）が経過したか否かが判定される。
【００８１】
［図７のＳ６８（表示オフ）］
本処理ステップＳ６８は、下記（１）〜（３）の場合に実行される。本処理ステップＳ６８では、表示器１４０の表示画面上における撮影画像の表示がオフされる。
（１）処理ステップＳ６４（経過時間の判定）にてタイマが始動してから時間ＴLDRが経過したと判定された場合（Ｓ６４：ＹＥＳ）
（２）処理ステップＳ６７（経過時間の判定）にてタイマが始動してから時間ＴHDR（初期値）が経過したと判定された場合（Ｓ６７：ＹＥＳ）
（３）処理ステップＳ６７（経過時間の判定）にてタイマが始動してから時間ＴHDR’が経過したと判定された場合（Ｓ６７：ＹＥＳ）
【００８２】
〔上記（１）の場合〕
ＬＤＲモード時は、ＨＤＲモード時と比べて表示パネル５０の消費電力が少なく、また、表示パネル５０の発熱が比較的少ない。そのため、ＬＤＲモード時には、時間ＴHDR（初期値）よりも長い時間ＴLDR継続して、撮影画像が表示器１４０の表示画面に表示される。
【００８３】
〔上記（２）の場合〕
ＨＤＲモード時は、ＬＤＲモード時と比べて表示パネル５０の消費電力が多く、また、表示パネル５０の発熱が多い。そのため、ＨＤＲモード時には、時間ＴLDRよりも短い時間ＴHDR（初期値）だけ、撮影画像が表示器１４０の表示画面に表示される。これにより、本体バッテリ１３６の消費電力が抑えられる。また、表示パネル５０の発熱が抑えられ、カメラボディ１０に伝達される熱が抑えられる。
【００８４】
〔上記（３）の場合〕
外部電源によって容量が確保されているため、ＨＤＲモード時ではあるが、時間ＴHDR（初期値）よりも長い時間ＴHDR’継続して、撮影画像が表示器１４０の表示画面に表示される。これにより、ユーザは、撮影画像をより長い時間確認することができる。なお、表示パネル５０の発熱を抑えたい場合は、ＨＤＲモード時における撮影画像の継続表示時間が常に時間ＴHDR（初期値）に設定されるよう、処理ステップＳ６６（継続表示時間の延長設定）の実行を省いてもよい。
【００８５】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【符号の説明】
【００８６】
１  撮影装置
１０  カメラボディ
１０ａ  （カメラボディ１０の）背面
２０  撮影レンズ
３０  ＡＣアダプタ
４０  バッテリグリップ
５０  表示パネル
５０ａ  （表示パネル５０の）裏面
６２  断熱材
６４  放熱板
６６  ヒンジ
６８  ストッパ
１０２  メインミラー
１０４  サブミラー
１０６  フォーカルプレーンシャッタ
１０８  撮像センサ
１１０  カメラＣＰＵ
１１２  測光センサ
１１４  撮像センサ駆動回路
１１６  画像処理回路
１１８  温度センサ
１２０  測距センサ
１２２  レンズ制御回路
１２４  開閉検知スイッチ
１２６  表示器制御回路
１２８  操作スイッチ群
１３０  画像メモリ
１３２  ＲＯＭ
１３４  電源回路
１３６  本体バッテリ
１３８  外部電源入力端子
１４０  表示器
１４２  表示器駆動回路
【図１】
2018125789.tif 000003
【図２】
2018125789.tif 000004
【図３】
2018125789.tif 000005
【図４】
2018125789.tif 000006
【図５】
2018125789.tif 000007
【図６】
2018125789.tif 000008
【図７】
2018125789.tif 000009